(57)【特許請求の範囲】
【請求項１】
平面充填可能な多角形のベース形状の底面を有する柱形状であって、鉄筋コンクリートの積層体を構成するプレキャストコンクリートのブロックであって、
上面から下面に貫通する中央貫通孔を有し、
前記中央貫通孔と整合可能な貫通孔の形状を分割した第１、第２の切欠きを、前記ベース形状において対向する対称辺にそれぞれ設け、
前記中央貫通孔が、前記第１の切欠きを含んで構成される第１貫通孔と、前記第２の切欠きを含んで構成される第２貫通孔と、直線上で等間隔となるように配置され、
前記対称辺は、平行に対向する２辺であり、
前記直線が前記ベース形状を構成する辺方向と異なる方向に延在していることを特徴とするブロック。
【請求項２】
前記ベース形状は、正方形であることを特徴とする請求項１に記載のブロック。
【請求項３】
前記ベース形状は、六角形であることを特徴とする請求項１に記載のブロック。
【請求項４】
前記対称辺は、平行に対向する２辺に直交する線に対して線対称の位置となる辺であることを特徴とする請求項２又は３に記載のブロック。
【請求項５】
平面充填可能な多角形のベース形状の底面を有する柱形状であって、鉄筋コンクリートの積層体を構成するプレキャストコンクリートのブロックを積層して構成したコンクリート構造物であって、
前記ブロックは、上面から下面に貫通する中央貫通孔と、前記ベース形状において対向する対称辺にそれぞれ設けられ、前記中央貫通孔と整合可能な貫通孔の形状を分割した第１、第２の切欠きとを有しており、
前記中央貫通孔が、前記第１の切欠きを含んで構成される第１貫通孔と、前記第２の切欠きを含んで構成される第２貫通孔と、直線上で等間隔となるように配置されており、
下層ブロックの第１の切欠きを含んで構成される第１貫通孔、又は下層ブロックの第２の切欠きを含んで構成される第２貫通孔と、上層ブロックの中央貫通孔とを少なくとも整合させて形成した筒空間に、前記積層体の杭及び杭頭補強部材を貫通させるとともに、下
層ブロックによって形成された目地と上層ブロックによって形成された目地とがずれる位置に上下層のブロックが配置されていることを特徴とするコンクリート構造物。
【発明の詳細な説明】
【技術分野】
【０００１】
本発明は、橋脚基礎のフーチング等のコンクリート構造物に用いられるブロック及びこれを用いたコンクリート構造物に関する。
【背景技術】
【０００２】
従来、橋脚基礎のフーチング等の大型のコンクリート構造物は、現場において鉄筋を配置してコンクリートを打設することが多い。このように巨大なコンクリート構造物を打設する場合、天候に左右され、製造に長期間を要することがある。
【０００３】
そこで、大型のコンクリート構造物において、プレキャスト工法を用いることが検討されている。（例えば、特許文献１参照）。この文献に記載されたプレキャストブロックは、外殻フレームの外周に沿って配設された補強用の鉄筋に、所要の間隔で中間帯筋を配設する。そして、鉄筋及び中間帯筋で囲まれた領域に、現場打ちコンクリートの打設が可能な空間を形成するように、鉄筋及び中間帯筋をプレキャストコンクリートにより一体化して形成する。更に、この文献には、このプレキャストブロックを複数に分割した形状にすることが記載されている。
【先行技術文献】
【特許文献】
【０００４】
【特許文献１】特開２００４−１３１９８８号公報
【発明の概要】
【発明が解決しようとする課題】
【０００５】
上記文献に記載のプレキャストブロックを用いる場合、各ブロックを整合させて積層する。ここで、プレキャストブロックを整合、積層すると、コンクリート構造物に目地（ブロック同士の繋ぎ目）が生じる。この目地がそろってしまうと外力が集中しやすく、ここから割れ等が生じ、強度が問題になる可能性がある。
【０００６】
本発明は、上記課題に鑑みてなされ、その目的は、強固なコンクリート構造物を効率的に構築するためのブロック及びこれを用いたコンクリート構造物を提供することにある。
【課題を解決するための手段】
【０００７】
上記課題を解決するブロックは、平面充填可能な多角形のベース形状の底面を有する柱形状であって、鉄筋コンクリートの積層体を構成するプレキャストコンクリートのブロックであって、上面から下面に貫通する中央貫通孔を有し、前記中央貫通孔と整合可能な貫通孔の形状を分割した第１、第２の切欠きを、前記ベース形状において対向する対称辺にそれぞれ設け、前記中央貫通孔が、前記第１の切欠きを含んで構成される第１貫通孔と、前記第２の切欠きを含んで構成される第２貫通孔と、直線上で等間隔となるように配置され、前記対称辺は、平行に対向する２辺であり、前記直線が前記ベース形状を構成する辺方向と異なる方向に延在している。これにより、コンクリート構造物を製造する場合には、平面充填するようにブロックを配置し、下層ブロックの第１の切欠きを含んで構成される第１貫通孔や下層ブロックの第２の切欠きを含んで構成される第２貫通孔と、上層ブロックの中央貫通孔とを整合させて形成した筒空間に積層体の杭及び杭頭補強部材を貫通させることができる。従って、下層ブロックによって形成された目地と上層ブロックによって形成された目地とをずらして配置することができるため、プレキャストコンクリートで、強固なコンクリート構造物を効率的に構築することができる。
【０００８】
上記ブロックにおいて、前記ベース形状は、正方形であることが好ましい。これにより、ブロックを、簡単に平面充填することができる。
上記ブロックにおいて、前記ベース形状は、六角形であることが好ましい。これにより、ブロックを、簡単に平面充填することができる。
【０００９】
上記ブロックにおいて、前記対称辺は、平行に対向する２辺に直交する線に対して線対称の位置となる辺であることが好ましい。これにより、中央貫通孔に整合可能な第１貫通孔や第２貫通孔を構成する第１、第２の切欠きをベース形状に効率的に形成することができる。
【００１０】
上記ブロックにおいて、前記対称辺は、平行に対向する２辺であり、前記直線が前記ベース形状を構成する辺方向と異なる方向に延在していることが好ましい。これにより、中央貫通孔に整合可能な第１貫通孔や第２貫通孔を構成する第１、第２の切欠きをベース形状に効率的に形成することができる。
【００１１】
上記課題を解決するためのコンクリート構造物は、平面充填可能な多角形のベース形状の底面を有する柱形状であって、鉄筋コンクリートの積層体を構成するプレキャストコンクリートのブロックを積層して構成したコンクリート構造物であって、前記ブロックは、上面から下面に貫通する中央貫通孔と、前記ベース形状において対向する対称辺にそれぞれ設けられ、前記中央貫通孔と整合可能な貫通孔の形状を分割した第１、第２の切欠きとを有しており、前記中央貫通孔が、前記第１の切欠きを含んで構成される第１貫通孔と、前記第２の切欠きを含んで構成される第２貫通孔と、直線上で等間隔となるように配置されており、下層ブロックの第１の切欠きを含んで構成される第１貫通孔、又は下層ブロックの第２の切欠きを含んで構成される第２貫通孔と、上層ブロックの中央貫通孔とを少なくとも整合させて形成した筒空間に、前記積層体の杭及び杭頭補強部材を貫通させるとともに、下層ブロックによって形成された目地と上層ブロックによって形成された目地とがずれる位置に上下層のブロックが配置されている。これにより、ブロックの目地をずらしながら、プレキャストコンクリートのブロックを積層したコンクリート構造物を構築することができる。そして、強固なコンクリート構造物を効率的に構築することができる。
【発明の効果】
【００１２】
本発明によれば、強固なコンクリート構造物を効率的に構築することができる。
【図面の簡単な説明】
【００１３】
【図１】第１の実施形態におけるブロックの説明図であって、（ａ）は斜視図、（ｂ）は平面図。
【図２】第１の実施形態におけるブロックを積層した状態の説明図であって、（ａ）は平面図、（ｂ）は斜視図。
【図３】第２の実施形態におけるブロックの説明図であって、（ａ）はブロックの平面図、（ｂ）はブロックを積層した状態の平面図。
【図４】第３の実施形態におけるブロックの説明図であって、（ａ）はブロックの平面図、（ｂ）はブロックを積層した状態の平面図。
【図５】第４の実施形態におけるブロックの説明図であって、（ａ）はブロックの平面図、（ｂ）はブロックを積層した状態の斜視図。
【図６】第５の実施形態におけるブロックの説明図であって、（ａ）はブロックの平面図、（ｂ）はブロックを積層した状態の平面図。
【図７】第６の実施形態におけるブロックの説明図であって、（ａ）はブロックの平面図、（ｂ）はブロックを積層した状態の平面図。
【図８】第７の実施形態におけるブロックの説明図であって、（ａ）はブロックの平面図、（ｂ）はブロックを積層した状態の平面図。
【図９】変更例におけるブロックの説明図であって、（ａ）は貫通孔を縮径したブロックの立面図、（ｂ）は貫通孔を斜めに形成したブロックの立面図、（ｃ）は貫通孔を縮径したブロックを用いて積層したときの断面図。
【図１０】変更例におけるブロックの説明図であって、（ａ）は、中央貫通孔と、第１及び第２切欠きによって構成される貫通孔とが異なるブロックの平面図、（ｂ）はブロックを積層した状態の平面図。
【図１１】変更例におけるブロックの説明図であって、（ａ）は中央貫通孔を小さくしたブロックの平面図、（ｂ）はブロックの中央貫通孔の形状を変更したブロックの平面図、（ｃ）は四角形状の中央貫通孔及び切欠きを有するブロックの平面図。
【発明を実施するための形態】
【００１４】
（第１の実施形態）
以下、図１及び図２を用いて、ブロック及びコンクリート構造物の一実施形態を説明する。ここでは、コンクリート構造物として橋脚のフーチングを製造する場合を想定する。
【００１５】
図１（ａ）及び図１（ｂ）は、それぞれ、本実施形態のブロック１０の斜視図及び平面図を示している。
図１（ａ）に示すように、ブロック１０は、プレキャストコンクリートであり、例えば高さが約０．５ｍの柱形状の本体部１１を有している。本体部１１の底面は、正方形のベース形状を有している。ここで、ベース形状は、ブロック１０の上面において、後述する中央貫通孔や切欠きを除いた本体部１１の基本形状を意味する。本実施形態のベース形状は、一辺が約３．６ｍの正方形状（平面充填形状）である。
【００１６】
本体部１１の上面中央には、上面から下面に貫かれた中央貫通孔１２が形成されている。中央貫通孔１２の中心軸は、ブロック１０の中心軸と一致している。本実施形態の中央貫通孔１２は、水平断面が円形の筒形状を有している。本実施形態では、この中央貫通孔１２の筒形状の直径は約１．８ｍ（半径：約０．９ｍ）である。
【００１７】
図１（ｂ）に示すように、本体部１１のベース形状において対向する１対の辺（対向辺）には、切欠き１５，１６が形成されている。本実施形態では、各切欠き１５，１６は、ベース形状の対向辺上に中心軸を有した半円筒形状である。更に、各切欠き１５，１６の中心軸は、中央貫通孔１２の中心点を通る水平面上の直線Ｌ１と直交して、等間隔（長さＬ１１＝長さＬ１２）で配置されている。更に、各切欠き１５，１６は中央貫通孔１２を２等分割した形状であり、各切欠き１５，１６の水平断面の半円形状の半径は、中央貫通孔１２の半径と同じ約０．９ｍである。
【００１８】
中央貫通孔１２の外周には、図示しない係止孔が離散して形成されている。具体的には、係止孔は、直線Ｌ１上において、中央貫通孔１２と各切欠き１５，１６との中点に位置している。各係止孔も、本体部１１の上面から下面に貫通している。
【００１９】
次に、図２を用いて、以上のように構成したブロック１０を用いたフーチングの製造方法について説明する。
図２（ａ）及び図２（ｂ）は、複数のブロック１０を積層した状態の平面図及び斜視図である。
【００２０】
図２（ａ）に示すように、複数のブロック１０を、所定の広さで平面充填させながら配置する（一層目）。具体的には、ブロック１０のベース形状を当接させた状態で、平面状（ｘ方向，ｙ方向）に並べる。この場合、ｙ方向に隣接する２つのブロック１０の各切欠き１５，１６によって囲まれた領域に貫通孔（合成貫通孔）が形成される。この合成貫通孔は、本実施形態では、ブロック１０の中央貫通孔１２と同じ大きさの円筒形状となる。また、この合成貫通孔の中心軸は直線Ｌ１上で、中央貫通孔１２と等間隔に配置されることになる。更に、ブロック１０を積層する場合には、係止孔に鉄筋（図示せず）を貫通させて、上下層のブロック１０の位置合わせを行なう。
【００２１】
そして、図２（ａ）及び図２（ｂ）に示すように、ｘ方向，ｙ方向と直交する垂直方向（ｚ方向）に、ブロック１０の２層目を積層する。この場合、隣接する下層（１層目）のブロック１０に対して、水平方向にずらしてブロック１０を配置する。具体的には、ｙ方向にブロック１０の半分の長さだけずらし、ｘ方向に、中央貫通孔１２と切欠き１５，１６のｘ方向の距離分ずらす。これにより、下層のブロック１０の中央貫通孔１２と上層の合成貫通孔との位置が整合し、下層の合成貫通孔と上層のブロック１０の中央貫通孔１２との位置が整合する。この場合、隣接する上下層の係止孔も整合する。
【００２２】
このようにして、ブロック１０を、所定の高さまで積層する。この場合、合成貫通孔とブロック１０の中央貫通孔１２とが垂直方向に整合されて、積層体の最上層の上面から最下層の下面まで貫通する筒空間が形成される。
【００２３】
そして、この筒空間に、杭及び杭頭補強部材を貫通させた後、鉄筋を上下に配置し、固定部材としての繊維コンクリートを打設する。これにより、複数のブロック１０を積層した鉄筋コンクリートの積層体（フーチング）を構築することができる。
【００２４】
本実施形態によれば、以下のような効果を得ることができる。
（１）本実施形態では、平面充填した下層のブロック１０の中央貫通孔１２と上層の合成貫通孔との位置を整合させ、下層の合成貫通孔と上層のブロック１０の中央貫通孔１２とを用いて、上下層の目地を考慮して、強固なコンクリート構造物を構築することができる。
【００２５】
（２）本実施形態のブロック１０は、本体部１１に、円断面形状の中央貫通孔１２と、ベース形状の対向辺において中央貫通孔１２の大きさの半円形状の切欠き１５，１６とを備える。これにより、ブロック１０を平面充填することにより切欠き１５，１６によって囲まれた領域に、中央貫通孔１２と同じ大きさ及び形状の合成貫通孔を形成することができる。従って、ブロック１０の下層の合成貫通孔と上層の中央貫通孔１２とによって、コンクリートを打設する筒空間を効率よく形成することができる。
【００２６】
（３）本実施形態のブロック１０では、切欠き１５，１６が、ベース形状の本体部１１の１対の対向辺にそれぞれ形成されている。これにより、ブロック１０の上下が逆になった場合にも、切欠き１５，１６を整合させることができる。
【００２７】
（４）本実施形態のブロック１０では、直線Ｌ１上において、中央貫通孔１２と各切欠き１５，１６との中点に位置する係止孔が設けられている。このため、上下層のブロック１０の中央貫通孔１２と上層の合成貫通孔とを整合させた場合、上下層の係止孔の位置が整合する。これにより、係止孔に鉄筋を挿入して、係止孔によってガイドしながらブロック１０を効率よく積層することができる。
【００２８】
（第２の実施形態）
次に、図３を用いて、第２の実施形態を説明する。本実施形態は、第１の実施形態のブロック１０における中央貫通孔１２及び切欠き１５，１６の位置をずらすとともに、切欠き１５，１６の形状を変更した構成である。なお、以下の実施形態においては、上記実施形態と同一の部分については、同一の符号を付し、その詳細な説明を省略する。
【００２９】
図３（ａ）に示すように、ブロック２０は、上記実施形態のブロック１０と同様に、プレキャストコンクリートであり、柱形状の本体部２１を有している。本体部２１の底面は、正方形のベース形状を有している。
【００３０】
本体部２１の上面内部には、上面から下面に貫かれた中央貫通孔２２が形成されている。また、本実施形態の中央貫通孔２２も、水平断面が円形の筒形状を有している。本実施形態では、中央貫通孔２２は、その中心軸が、ブロック２０の中心軸Ｂｃからずれた位置となるように形成されている。
【００３１】
本体部２１の１対の対向辺には、異なる形状の切欠き２５，２６が形成されている。本実施形態では、切欠き２５，２６は、それぞれ、中央貫通孔２２の水平断面形状（円）を弦で分割した円弧（優弧と劣弧）からなる弓形形状である。このため、切欠き２５，２６を合わせることにより、中央貫通孔２２と同じ大きさの孔を形成することができる。そして、各弓形形状の元の円の各中心軸は、中央貫通孔２２の中心軸を通る水平面上の直線Ｌ２と直交し、中央貫通孔２２の中心軸から等間隔（長さＬ２１＝長さＬ２２）で配置されている。この場合、直線Ｌ２は、ブロック２０の各辺と平行にならないように設定する。更に、長さ〔Ｌ２１＋Ｌ２２〕は、この直線Ｌ２がベース形状によって区切られる長さと同じに設定しておく。なお、本実施形態のブロック２０においても、上記実施形態と同様に、図示しない複数の係止孔が形成されている。本実施形態では、各係止孔は、水平面内で直線Ｌ２の平行線上に、長さＬ２１（＝長さＬ２２）の周期で形成する。
【００３２】
本実施形態のブロック２０を用いてフーチングを製造する場合には、上記第１の実施形態と同様にして行なう。
具体的には、図３（ｂ）に示すように、複数のブロック２０を、ベース形状を当接させることにより、所定の広さで平面充填させながら配置する（一層目）。この場合、ｙ方向に隣接する複数（２つ）のブロック２０の各切欠き２５，２６によって囲まれた領域に貫通孔（合成貫通孔）が形成される。この合成貫通孔は、本実施形態では、ブロック２０の中央貫通孔２２と同じ大きさの円断面形状となる。
【００３３】
そして、隣接する下層（１層目）のブロック２０に対して、水平方向（ｘ方向及びｙ方向）にずらして、２層目のブロック２０を積層する。この場合、下層のブロック２０の中央貫通孔２２と上層の合成貫通孔との位置が整合し、下層の合成貫通孔と上層のブロック２０の中央貫通孔２２との位置が整合するように積層する。
【００３４】
このようにして、ブロック２０を、所定の高さまで積層する。この場合、合成貫通孔とブロック２０の中央貫通孔２２とが垂直方向に整合されて、積層体の最上層の上面から最下層の下面まで貫通する筒空間が形成される。
【００３５】
そして、この筒空間に、杭及び杭頭補強部材を貫通させた後、鉄筋を上下に配置し、繊維コンクリートを打設する。これにより、複数のブロック２０を積層した鉄筋コンクリートの積層体（フーチング）を形成することができる。
【００３６】
本実施形態によれば、上記（１），（２），（４）と同様な効果に加えて以下の効果を得ることができる。
（５）本実施形態のブロック２０は、切欠き２５，２６の弓形形状の元の円断面の各中心点は、中央貫通孔２２の中心軸を通る直線Ｌ２上で、中央貫通孔２２の中心軸から等間隔（長さＬ２１＝長さＬ２２）で配置されている。これにより、上層のブロック２０と下層のブロック２０との位置を、直線Ｌ２の平行線上でずらすことができる。そして、直線Ｌ２は、ブロック２０の各辺と平行でないため、上下層を貫通する目地の発生を抑制できる。
【００３７】
（第３の実施形態）
次に、図４を用いて、第３の実施形態を説明する。本実施形態は、第２の実施形態におけるブロック２０のベース形状を、他の平面充填形状（六角形状）に変更した構成である。
【００３８】
図４（ａ）に示すように、ブロック３０は、上記実施形態のブロック１０と同様に、プレキャストコンクリートであり、柱形状の本体部３１を有している。本体部３１の底面は、六角形のベース形状を有している。
【００３９】
本体部３１の上面内部には、上面から下面に貫かれた中央貫通孔３２が形成されている。本実施形態の中央貫通孔３２は、その中心軸が、ブロック３０の中心軸Ｂｃからずれた位置となるように形成されている。本実施形態の中央貫通孔３２も、水平断面が円形の筒形状を有している。本実施形態では、中央貫通孔３２の中心軸は、本体部３１のベース形状において対向する一対の対向辺と直交する直線Ｌ３上に配置されている。
【００４０】
更に、本体部２１のベース形状の、直線Ｌ３と直交する１対の対向辺には、異なる形状の切欠き３５，３６が形成されている。本実施形態では、切欠き３５，３６は、それぞれ、中央貫通孔３２の水平断面形状（円）を弦で分割した円弧（優弧と劣弧）からなる弓形形状である。このため、切欠き３５，３６を合わせることにより、中央貫通孔３２と同じ大きさの孔を形成することができる。そして、各弓形形状の元の円の各中心軸は、中央貫通孔３２の中心軸を通る水平面上の直線Ｌ３上と直交し、中央貫通孔３２の中心軸から等間隔（長さＬ３１＝長さＬ３２）で配置されている。この場合、直線Ｌ３は、ブロック３０の各辺と平行にならないように設定する。更に、長さ〔Ｌ３１＋Ｌ３２〕は、この直線Ｌ３がベース形状によって区切られる長さと同じに設定しておく。なお、本実施形態のブロック３０においても、上記実施形態と同様に、図示しない複数の係止孔が形成されている。本実施形態では、各係止孔は、水平面内で直線Ｌ３の平行線上に、長さＬ３１（＝長さＬ３２）の周期で形成する。
【００４１】
本実施形態のブロック３０を用いてフーチングを製造する場合には、上記第１実施形態と同様にして行なう。
具体的には、図４（ｂ）に示すように、複数のブロック３０を、ベース形状を当接させることにより、所定の広さで平面充填させながら配置する（一層目）。この場合、隣接する２つのブロック３０の切欠き３５，３６を連接させるように配置する。これにより、切欠き３５，３６によって囲まれた領域に貫通孔（合成貫通孔）が形成される。この合成貫通孔は、本実施形態では、ブロック３０の中央貫通孔３２と同じ大きさの円断面形状となる。
【００４２】
そして、下層（１層目）のブロック３０に対して、六角形状の中心から頂角方向にずらして、２層目のブロック３０を積層する。この場合、下層のブロック３０の中央貫通孔３２と上層の合成貫通孔との位置が整合し、下層の合成貫通孔と上層のブロック３０の中央貫通孔３２との位置が整合するように積層する。
【００４３】
このようにして、ブロック３０を、所定の高さまで積層する。この場合、合成貫通孔とブロック３０の中央貫通孔３２とが垂直方向に整合されて、積層体の最上層の上面から最下層の下面まで貫通する筒空間が形成される。
【００４４】
そして、この筒空間に、杭及び杭頭補強部材を貫通させた後、鉄筋を上下に配置し、繊維コンクリートを打設する。これにより、複数のブロック３０を積層した鉄筋コンクリートの積層体（フーチング）を形成することができる。
【００４５】
本実施形態によれば、上記（２）〜（５）と同様な効果に加えて、以下のような効果を得ることができる。
（６）本実施形態では、平面充填した下層のブロック３０の中央貫通孔３２と上層の合成貫通孔とを用いて、上下層の目地を考慮して、強固なコンクリート構造物を構築することができる。
（７）本実施形態のブロック３０は、ベース形状として六角形状を用いている。これにより、ハニカム構造により平面充填するので、強固な積層体を構築することができる。
【００４６】
（第４の実施形態）
次に、図５を用いて、第４の実施形態を説明する。本実施形態は、第１の実施形態におけるブロック１０のベース形状を、他の平面充填形状（六角形状）に変更するとともに、すべての対向辺に切欠きを設けた構成である。
【００４７】
図５（ａ）に示すように、ブロック４０は、上記実施形態のブロック１０と同様に、プレキャストコンクリートであり、柱形状の本体部４１を有している。本体部４１の底面は、六角形のベース形状を有している。
【００４８】
本体部４１の上面中央には、上面から下面に貫かれた中央貫通孔４２が形成されている。中央貫通孔４２の中心軸は、ブロック４０の中心軸と一致している。本実施形態の中央貫通孔４２は、水平断面が円形の筒形状を有している。
【００４９】
本体部４１のベース形状の３対の対向する各対向辺（各辺）には、切欠き４５，４６が形成されている。本実施形態では、各切欠き４５，４６は、ベース形状の対向辺上に中心軸を有した半円形状である。各切欠き４５，４６の中心軸は、水平面における各対向辺の中点を通る。このため、各切欠き４５，４６は、中央貫通孔４２の中心軸と直交する水平面上の各直線Ｌ４１，Ｌ４２，Ｌ４３上に、ベース形状の中心軸から同じ間隔で配置されている。本実施形態では、各切欠き４５，４６は中央貫通孔４２を２等分割した形状で、各切欠き４５，４６の半円形状の半径は、中央貫通孔４２の半径と同じである。なお、本実施形態のブロック４０には、上記実施形態と同様に、図示しない複数の係止孔が形成されている。各係止孔の中心軸は、中央貫通孔４２と各切欠き４５，４６との中点の位置を通る鉛直軸である。
【００５０】
本実施形態のブロック４０を用いてフーチングを製造する場合には、上記第１実施形態と同様にして行なう。
具体的には、図５（ｂ）に示すように、複数のブロック４０を、ベース形状を当接させることにより、所定の広さで平面充填させながら配置する（一層目）。この場合、ｘ方向，ｙ方向に隣接する複数のブロック４０の各切欠き４５，４６によって囲まれた領域に貫通孔（合成貫通孔）が形成される。この合成貫通孔は、本実施形態では、ブロック４０の中央貫通孔４２と同じ大きさの円断面形状となる。
【００５１】
そして、下層（１層目）のブロック４０に対して、六角形状の中心から頂角方向にずらして、２層目のブロック４０を積層する。この場合、下層のブロック４０の中央貫通孔４２と上層の合成貫通孔との位置が整合し、下層の合成貫通孔と上層のブロック４０の中央貫通孔４２との位置が整合し、下層の合成貫通孔と上層の合成貫通孔との位置が整合するように配置する。
【００５２】
このようにして、ブロック４０を、所定の高さまで積層する。この場合、合成貫通孔とブロック４０の中央貫通孔４２とが垂直方向に整合されて、積層体の最上層の上面から最下層の下面まで貫通する筒空間が形成される。
【００５３】
そして、この筒空間に、杭及び杭頭補強部材を貫通させた後、鉄筋を上下に配置し、繊維コンクリートを打設する。これにより、複数のブロック４０を積層した鉄筋コンクリートの積層体（フーチング）を形成することができる。
【００５４】
本実施形態によれば、上記（１）〜（４）、（７）と同様な効果に加えて以下の効果を得ることができる。
（８）本実施形態のブロック４０は、六角形のベース形状を有するブロック４０の本体部４１のベース形状の３対の対向する各対向辺（各辺）には、切欠き４５，４６が形成されている。これにより、切欠き４５，４６によって、各辺に合成貫通孔を生成することができる。
【００５５】
（第５の実施形態）
次に、図６を用いて、第５の実施形態を説明する。本実施形態は、第３の実施形態におけるブロック３０の切欠きを設ける位置を変更した構成である。
【００５６】
図６（ａ）に示すように、ブロック５０は、上記実施形態のブロック１０と同様に、プレキャストコンクリートであり、柱形状の本体部５１を有している。本体部５１の底面は、六角形のベース形状を有している。
【００５７】
本体部５１の上面中央には、上面から下面に貫かれた中央貫通孔５２が形成されている。中央貫通孔５２の中心軸は、ブロック５０のベース形状の線対称線Ｌｓ上に位置している。この線対称線Ｌｓは、ブロック５０の平行な対向する２辺と直交し、ブロック５０のベース形状が線対称となる線である。本実施形態では、中央貫通孔５２の中心軸は、水平面上の線対称線Ｌｓと辺とが直交する軸と、ブロック５０の中心軸Ｂｃとの中点に配置される。この中央貫通孔５２は、水平断面が円形の筒形状を有している。
【００５８】
本体部５１のベース形状の線対称線Ｌｓにおいて線対称となる１対の辺（線対称辺）には、中央貫通孔５２を２等分割した半円筒形状の切欠き５５，５６が形成されている。本実施形態の切欠き５５，５６の半円筒形状の半径は、中央貫通孔５２の半径と同じである。本実施形態では、各切欠き５５，５６の半円筒形状の中心軸は、線対称線Ｌｓと直交する水平面上の直線Ｌ５上で、かつブロック５０の線対称辺上に位置し、中央貫通孔５２の中心軸から等間隔（長さＬ５１＝長さＬ５２）で配置されている。
【００５９】
図６（ｂ）に示すように、本実施形態のブロック５０を用いてフーチングを製造する場合には、まず、複数のブロック５０を、ベース形状を当接させることにより、所定の広さで平面充填させながら配置する（一層目）。この場合、隣接する列のブロック５０の向きを１８０度回転させて、ブロック５０の切欠き５５，５６が整合するように配置する。これにより、これら切欠き５５，５６によって囲まれた領域に貫通孔（合成貫通孔）が形成される。この合成貫通孔は、本実施形態では、ブロック５０の中央貫通孔５２と同じ大きさの円断面形状となる。
【００６０】
そして、下層（１層目）のブロック５０に対して、六角形状の中心から頂角方向にずらして、２層目のブロック５０を積層する。この場合、下層のブロック５０の中央貫通孔５２と上層の合成貫通孔との位置が整合し、下層の合成貫通孔と上層のブロック５０の中央貫通孔５２との位置が整合するように積層する。
【００６１】
このようにして、ブロック５０を、所定の高さまで積層する。この場合、合成貫通孔とブロック５０の中央貫通孔５２とが垂直方向に整合されて、積層体の最上層の上面から最下層の下面まで貫通する筒空間が形成される。
【００６２】
そして、この筒空間に、杭及び杭頭補強部材を貫通させた後、鉄筋を上下に配置し、繊維コンクリートを打設する。これにより、複数のブロック５０を積層した鉄筋コンクリートの積層体（フーチング）を形成することができる。
【００６３】
本実施形態によれば、上記（１），（２），（７）と同様な効果に加えて、以下のような効果を得ることができる。
（９）本実施形態のブロック５０では、切欠き５５，５６が、ベース形状の本体部５１の線対称となる１対の辺にそれぞれ形成されている。これにより、切欠き５５，５６のそれぞれを整合させて合成貫通孔を形成することができる。
【００６４】
（第６の実施形態）
次に、図７を用いて、第６の実施形態を説明する。本実施形態は、第１の実施形態におけるブロック１０のベース形状の各辺を直線以外（波型）に変更した構成である。
【００６５】
図７（ａ）に示すように、ブロック６０は、上記実施形態のブロック１０と同様に、プレキャストコンクリートであり、柱形状の本体部６１を有している。本体部６１の底面は、正方形状の各辺を変形させたベース形状を有している。本実施形態では、ベース形状の図７（ａ）における左辺と右辺、上辺と下辺の各対向辺の凹凸とが整合する形状（波型）を有している。
【００６６】
本体部６１の上面中央には、上面から下面に貫かれた中央貫通孔６２が形成されている。本実施形態の中央貫通孔６２は、ブロック６０の中心軸と一致する中心軸を有し、水平断面が円形の筒形状を有している。本体部６１のベース形状の１対の対向辺には、略半円形状の切欠き６５，６６が形成されている。各切欠き６５，６６の中心軸は、中央貫通孔６２の中心軸を通る水平面上の直線Ｌ６上に、等間隔（長さＬ６１＝長さＬ６２）で配置されている。各切欠き６５，６６は、中央貫通孔６２を２分割しており、弦部分が波型形状をしている。本実施形態の切欠き６５，６６の略半円形状の半径は、中央貫通孔６２の半径と同じである。
【００６７】
本実施形態のブロック６０を用いてフーチングを製造する場合には、上記第１実施形態と同様にして行なう。具体的には、図７（ｂ）に示すように、複数のブロック６０を、ベース形状を当接させることにより、所定の広さで平面充填させながら配置する（一層目）。この場合、ｘ方向，ｙ方向に隣接する複数（２つ）のブロック６０の各切欠き６５，６６によって囲まれた領域に貫通孔（合成貫通孔）が形成される。この合成貫通孔は、本実施形態では、ブロック６０の中央貫通孔６２と同じ大きさの円断面形状となる。
【００６８】
そして、下層（１層目）のブロック６０に対して、ベース形状の中心から頂角方向にずらして、２層目のブロック６０を積層する。この場合、下層のブロック６０の中央貫通孔６２と上層の合成貫通孔との位置が整合し、下層の合成貫通孔と上層のブロック６０の中央貫通孔６２との位置が整合する。
【００６９】
このようにして、ブロック６０を、所定の高さまで積層する。この場合、合成貫通孔とブロック６０の中央貫通孔６２とが垂直方向に整合されて、積層体の最上層の上面から最下層の下面まで貫通する筒空間が形成される。そして、この筒空間に、杭及び杭頭補強部材を貫通させた後、鉄筋を上下に配置し、繊維コンクリートを打設する。これにより、複数のブロック６０を積層した鉄筋コンクリートの積層体（フーチング）を形成することができる。
【００７０】
本実施形態によれば、上記（１）〜（３）と同様な効果に加えて、以下のような効果を得ることができる。
（１０）本実施形態のブロック６０は、正方形状の各辺を波型に変形したベース形状を有している。このため、ベース形状の各辺の凹凸を嵌合させて、ブロック６０のずれを抑制することができる。
【００７１】
（第７の実施形態）
次に、図８を用いて、第７の実施形態を説明する。本実施形態は、第１の実施形態におけるブロック１０のベース形状の各辺を直線以外（一部に凹凸を設けた形状）に変更した構成である。
【００７２】
図８（ａ）に示すように、ブロック７０は、上記実施形態のブロック１０と同様に、プレキャストコンクリートであり、柱形状の本体部７１を有している。本体部７１の底面は、正方形状の各辺を変形させたベース形状を有している。本実施形態では、ベース形状の各辺には、左辺と右辺、上辺と下辺の各対向辺の凹凸とが整合する形状を有している。具体的には、ブロック７０のベース形状の左辺と上辺の中央には、それぞれ凸部７７ａ，７７ｂが形成されている。また、ブロック７０のベース形状の右辺の中央には、凸部７７ａに対向する位置に凹部７８ａが形成されている。更に、ブロック７０のベース形状の下辺の頂点の位置には、凸部７７ｂに対向する凹部７８ｂが形成されている。
【００７３】
本体部７１の上面中央には、上面から下面に貫かれた中央貫通孔７２が形成されている。本実施形態の中央貫通孔７２は、水平断面が円形の筒形状を有している。本体部７１のベース形状の対応する１対の辺（対向辺）には、中央貫通孔７２を２等分割した半円形状の切欠き７５，７６が形成されている。各切欠き７５，７６の中心軸は、中央貫通孔７２の中心軸を通る水平面上の直線Ｌ７上に、等間隔（長さＬ７１＝長さＬ７２）で配置されている。各切欠き７５，７６は、中央貫通孔７２を２分割しており、これら切欠き７５，７６の略半円形状の半径は、中央貫通孔７２の半径と同じである。
【００７４】
本実施形態のブロック７０を用いてフーチングを製造する場合には、上記第１の実施形態と同様にして行なう。具体的には、図８（ｂ）に示すように、複数のブロック７０を、ベース形状を当接させることにより、所定の広さで平面充填させながら配置する（一層目）。この場合、ブロック７０の凹部７８ａに、隣接するブロック７０の凸部７７ａを嵌合させ、ブロック７０の凹部７８ｂに、隣接するブロック７０の凸部７７ｂを嵌合させる。そして、ｘ方向，ｙ方向に隣接する複数（２つ）のブロック７０の各切欠き７５，７６によって囲まれた領域に貫通孔（合成貫通孔）が形成される。この合成貫通孔は、本実施形態では、ブロック７０の中央貫通孔７２と同じ大きさの円断面形状となる。
【００７５】
そして、下層（１層目）のブロック７０に対して、ベース形状の中心から頂角方向にずらして、２層目のブロック７０を積層する。この場合、下層のブロック７０の中央貫通孔７２と上層の合成貫通孔との位置が整合し、下層の合成貫通孔と上層のブロック７０の中央貫通孔７２との位置が整合する。
【００７６】
このようにして、ブロック７０を、所定の高さまで積層する。この場合、合成貫通孔とブロック７０の中央貫通孔７２とが垂直方向に整合されて、積層体の最上層の上面から最下層の下面まで貫通する筒空間が形成される。そして、この筒空間に、杭及び杭頭補強部材を貫通させた後、鉄筋を上下に配置し、繊維コンクリートを打設する。これにより、複数のブロック７０を積層した鉄筋コンクリートの積層体（フーチング）を形成することができる。
【００７７】
本実施形態によれば、上記（１）〜（３）と同様な効果に加えて、以下のような効果を得ることができる。
（１１）本実施形態のブロック７０には、ベース形状の上辺と左辺には凸部７７ａ，７７ｂが形成され、凸部７７ａ，７７ｂが設けられた辺と対向する辺（下辺と右辺）に、凸部７７ａ，７７ｂに嵌合する凹部７８ａ，７８ｂが形成されている。これにより、ブロック７０を平面充填して配置する際に、凹部７８ａ，７８ｂに隣接するブロックの凸部７７ａ，７７ｂを嵌合させて、ブロック７０のずれを抑制することができる。
【００７８】
また、上記各実施形態は、以下のように変更してもよい。
・上記第５の実施形態においては、ブロック５０を、隣接する列のブロック５０の向きを１８０度回転させて平面充填した。これに代えて、ブロック５０の上面と下面を反転させて平面充填し、切欠き５５，５６によって合成貫通孔を形成するようにしてもよい。
【００７９】
・上記各実施形態の各ブロック（１０〜７０）の中央貫通孔（１２〜７２）は、ブロック（１０〜７０）の上面から下面まで同じ大きさで形成されている。貫通孔（１２〜７２）の水平断面形状は、上面から下面まで同じ大きさでなくてもよい。例えば、図９（ａ）に示すブロック１０ａのように、上面から下面に向かって縮径する形状の中央貫通孔１２ａであってもよい。また、図９（ｂ）に示すブロック１０ｂのように、上面（一方の設置面）から下面（対向する他方の設置面）に向かって斜めに貫通する形状の中央貫通孔１２ｂであってもよい。ここで、図９（ｃ）に示すように、中央貫通孔１２ａを有するブロック１０ａを積層した場合には、切欠き１５で構成される合成貫通孔と中央貫通孔１２ａとによって形成される筒空間は、凹凸形状となる。これにより、この空間にコンクリートを打設した場合、凹凸形状により、強固に固定することができる。
【００８０】
・上記各実施形態のブロック（１０〜７０）は、切欠き（１５〜７５，１６〜７６）によって形成された合成貫通孔と、貫通孔（１２〜６２）とは同じ形状とした。ブロックに形成される切欠きと貫通孔の形状は、同じ形状に限定されない。例えば、図１０（ａ）に示すようなブロック８０としてもよい。このブロック８０は、上記実施形態のブロック１０と同様に、プレキャストコンクリートであり、柱形状の本体部８１を有している。本体部８１の底面は、正方形のベース形状を有している。本体部８１の上面中央には、上面から下面に貫かれた中央貫通孔８２が形成されている。本実施形態の中央貫通孔８２は、水平断面が円形の筒形状を有している。本体部８１のベース形状において対向する１対の辺には、長方形状の切欠き８５，８６が形成されている。本実施形態の各切欠き８５，８６は、同じ形状及び大きさをしており、中央貫通孔８２の面積と同じ正方形を２等分割した大きさで、同じ形状によって形成されている。各切欠き８５，８６の中心軸は、中央貫通孔８２の中心軸を通る水平面上の直線上に、等間隔（長さＬ８１＝長さＬ８２）で配置されている。
【００８１】
図１０（ｂ）に示すように、このブロック８０を、ベース形状を当接させることにより、所定の広さで平面充填させながら配置する（一層目）。この場合、ｘ方向，ｙ方向に隣接する複数（２つ）のブロック８０の切欠き８５，８６によって囲まれた領域に貫通孔（合成貫通孔）が形成される。この合成貫通孔は、本実施形態では、ブロック８０の中央貫通孔８２とほぼ同じ面積の正方形の断面形状となる。そして、下層のブロック８０の中央貫通孔８２と上層の合成貫通孔との位置が整合し、下層の合成貫通孔と上層のブロック８０の中央貫通孔８２との位置が整合するように、隣接する下層（１層目）のブロック８０に対してずらして２層目のブロック８０を積層する。そして、ブロック８０を所定の高さまで積層すると、合成貫通孔とブロック８０の中央貫通孔８２とが垂直方向に整合されて、積層体の最上層の上面から最下層の下面まで貫通する筒空間が形成される。この筒空間に形成された凹凸形状により、強固に固定することができる。
【００８２】
・上記第１の実施形態では、ブロック１０の切欠き１５を、中央貫通孔１２の半径と同じ半径の半円形状とした。ブロックの中央に形成する貫通孔の大きさと、合成貫通孔の大きさとは同じである場合に限定されない。例えば、図１１（ａ）に示すように、ブロック１０ｃの中央貫通孔１２ｃを、切欠き１５の半円形状の半径より小さい半径で構成してもよい。
【００８３】
・上記各実施形態のブロック（１０〜７０）は、円断面形状の中央貫通孔（１２〜７２）を設けた。中央貫通孔（１２〜７２）の断面形状は、円形状に限定されない。例えば、図１１（ｂ）に示すように、正方形状の水平断面を有している中央貫通孔１２ｄを備えたブロック１０ｄとしてもよい。更に、図１１（ｃ）に示すブロック９０としてもよい。このブロック９０は、上記実施形態のブロック１０と同様に、プレキャストコンクリートであり、柱形状の本体部９１を有している。本体部９１の底面は、正方形のベース形状を有している。本体部９１の上面中央には、上面から下面に貫かれた中央貫通孔９２が形成されている。本実施形態の中央貫通孔９２は、正方形状の水平断面を有している。この中央貫通孔９２は、ベース形状の正方形状と同様な正方形状の水平断面を有する筒形状を有している。更に、中央貫通孔９２は、ブロック９０の上面から下面まで同じ大きさを有している。本体部９１のベース形状において対向する１対の対向辺には、長方形形状の切欠き９５，９６が形成されている。各切欠き９５，９６は、中央貫通孔９２と同じ面積の正方形状を２分割した形状をしている。各切欠き９５，９６の中心点は、中央貫通孔９２の中心点を通る直線Ｌ９上に、等間隔（長さＬ９１＝長さＬ９２）で配置されている。
【００８４】
このブロック９０を、ベース形状を当接させることにより、所定の広さで平面充填させながら配置する。この場合、ｘ方向，ｙ方向に隣接する複数（２つ）のブロック９０の各切欠き９５によって囲まれた領域に貫通孔（合成貫通孔）が形成される。この合成貫通孔は、本実施形態では、ブロック９０の中央貫通孔９２とほぼ同じ面積の正方形の断面形状となる。そして、下層（１層目）のブロック９０に対して、ベース形状の中心から頂角方向にずらして、２層目のブロック９０を積層する。この場合、下層のブロック９０の中央貫通孔９２と上層の合成貫通孔との位置が整合し、下層の合成貫通孔と上層のブロック９０の中央貫通孔９２との位置が整合する。そして、ブロック９０を所定の高さまで積層すると、合成貫通孔とブロック９０の中央貫通孔９２とが垂直方向に整合されて、積層体の最上層の上面から最下層の下面まで貫通する正方形状の水平断面の筒空間が形成される。
【００８５】
・上記各実施形態においては、各ブロック（１０〜７０）は、切欠き（１５〜７５）によって形成された合成貫通孔と、貫通孔（１２〜７２）とを整合させた筒空間に、コンクリートを打設した。この区画された空間に配置される部材は、場所打ちコンクリートに限定されるものではない。各ブロックを固定する固定部材であればよく、アンカー等の機器固定材を挿入してもよい。
【００８６】
・上記各実施形態においては、各ブロック（１０〜７０）を積層して、橋脚のフーチングを構成した。これらブロックを用いて積層するコンクリート構造物は、これに限定されず、例えば、土木建築物の基礎や基台等であってもよい。
【符号の説明】
【００８７】
１０，１０ａ，１０ｂ，１０ｃ，１０ｄ，２０，３０，４０，５０，６０，７０，８０，９０…ブロック、１１，２１，２１ａ，３１，４１，５１，６１，７１，８１，９１…本体部、１２，１２ａ，１２ｂ，１２ｃ，１２ｄ，２２，３２，４２，５２，６２，７２，８２，９２…中央貫通孔、１５，１６，２５，２６，３５，３６，４５，４６，５５，５６，６５，６６，７５，７６，８５，８６，９５，９６…切欠き、７７ａ，７７ｂ…凸部、７８ａ，７８ｂ…凹部。
【図１】
0006786809.tif 000002
【図２】
0006786809.tif 000003
【図３】
0006786809.tif 000004
【図４】
0006786809.tif 000005
【図５】
0006786809.tif 000006
【図６】
0006786809.tif 000007
【図７】
0006786809.tif 000008
【図８】
0006786809.tif 000009
【図９】
0006786809.tif 000010
【図１０】
0006786809.tif 000011
【図１１】
0006786809.tif 000012